(57)【要約】【課題】  一体形成される指標板と導光部材の形状が特殊な場合であっても、照明効率の低下を抑制することが可能な計器装置を提供する。【解決手段】  指針４によって指示される指標部５１と指標部５１の背景をなす地色部５２とが施された立体形状からなる指標板５と、指標板５の背後に配設され、光源８からの光を受光部６２で受けて、指標板５を背後から照明する導光部材６とを備え、指標板５と導光部材６とは一体的に形成されているとともに、指標板５には、地色部５２の背面側における所要部に地色部５２の色調とは異なる色調を有する光反射率の高い反射部５３が形成されている。【選択図】  図３
2008020216.tif 000002
【特許請求の範囲】
【請求項１】
指針によって指示される指標部と前記指標部の背景をなす地色部とが施された立体形状からなる指標板と、
前記指標板の背後に配設され、光源からの光を受光部で受けて、前記指標板を背後から照明する導光部材とを備え、
前記指標板と前記導光部材とは一体形成されているとともに、前記指標板には、前記地色部の背面側における少なくとも所要部に前記地色部に対して光反射率の高い反射部が形成されてなることを特徴とする計器装置。
【請求項２】
前記反射部が、鏡面層からなることを特徴とする請求項１記載の計器装置。
【請求項３】
指針によって指示される指標部が施された立体形状からなる指標板と、
前記指標板の背後に配設され、光源からの光を受光部で受けて、前記指標板を背後から照明する導光部材とを備え、
前記指標板と前記導光部材とは一体形成されているとともに、前記導光部材には、前記受光部で受けた光が前記指標部の施されている所定範囲内に進むように、光の進行方向を規制する規制手段が設けられていることを特徴とする計器装置。
【請求項４】
前記規制手段は、前記指針の回動範囲と前記指針の回動範囲外との境界に形成された溝部からなることを特徴とする請求項３記載の計器装置。
【請求項５】
前記指標板と前記導光部材とは、インサート成形により一体形成されてなることを特徴とする請求項１または請求項３記載の計器装置。
【発明の詳細な説明】
【技術分野】
【０００１】
本発明は、例えば自動車を代表とする各種車両に搭載される計器装置に関する。
【背景技術】
【０００２】
従来、この種の計器装置にあっては、例えば下記特許文献１に記載されているものが知られている。この特許文献１に記載の計器装置は、指針によって指示される着色透過層からなる指標部と前記指標部の背景を形成する黒色の地色層とが無色透明材料からなる平板状の基板の前面に施された指標板と、前記指標板の背面に沿うように前記基部と略平行に設けられる平板状の導光部と前記導光部の外側端部から下方に向けて垂下する凸形状からなる受光部とを有し、光源からの光を前記受光部で受けて、前記指標板を背後からバックライト照明する無色透明材料からなる導光部材とを備え、前記導光部材の前記導光部が前記指標板（前記基部）の背面に密着するように前記指標板と前記導光部材とが一体的に形成されている構成である。一方、下記特許文献２には、周縁側の開口領域が広く、中心側に向かうに従って前記開口領域が狭くなるような略すり鉢形状を有し、略すり鉢状傾斜部の外縁（前記周縁側）近傍に指標部の施された車両用計器の指標板が開示されている。
【特許文献１】特開２００１−３４３２６０号公報
【特許文献２】実開平５−２３０４６号公報
【発明の開示】
【発明が解決しようとする課題】
【０００３】
そこで、特許文献２に記載の略すり鉢形状からなる指標板を、特許文献１に記載の計器装置の指標板に適用した場合、指標板の背面に密着するように一体形成される前記導光部材の前記導光部も略すり鉢形状を有するように構成されることになる。このため、前記指標板並びに前記導光部が、ともに略すり鉢形状に形成されると、前記指標板の背面に一体形成された前記導光部を用いて前記指標板の外縁近傍に位置する前記指標部（前記着色透過層）をバックライト照明するには、前記導光部から下方に垂下する前記受光部を特許文献１に記載の計器装置ように外側端部ではなく、内側端部（中心側開口領域に対応する端部）に複数設け、その背後に各々光源を配置する必要がある。
【０００４】
従って、前記指標板並びにこれに密着している前記導光部をともに略すり鉢形状とした場合、光源からの光は、前記導光部の内側端部（中心側開口領域に対応する端部）に位置する受光部に供給され、この受光部内に供給された光が略すり鉢状傾斜部（前記導光部）の外縁に向けて放射状に反射導光されることで、前記指標部がバックライト照明されることになる。
【０００５】
ところで、前記導光部が略すり鉢形状であれば、前記導光部を平板状とした場合に比べて前記受光部から前記導光部外縁に至る導光経路が当然のことながら長くなるため、前記指標板を照明するには前記略すり鉢状傾斜部（前記導光部）の外縁に到達するまでの間に光のロスを最小限に抑える必要がある。しかしながら、前記導光部が、前記指標板の背面に密着し、且つ前記指標部（前記着色透過層）及び黒色の前記地色層が前記基板の前面に形成されている場合、前記導光部及び前記基板を透過する透過光の一部が、黒色の前記地色層にあたって減衰し、これにより前記略すり鉢状傾斜部の外縁に到達する光量が不足するため、照明効率が低下してしまうという問題があり、更なる改良の余地が残されていた。
そこで本発明は、前述の課題に対して対処するため、一体形成される指標板と導光部材の形状が特殊な場合であっても、照明効率の低下を抑制することが可能な計器装置の提供を目的とするものである。
【課題を解決するための手段】
【０００６】
本発明は、指針によって指示される指標部と前記指標部の背景をなす地色部とが施された立体形状からなる指標板と、前記指標板の背後に配設され、光源からの光を受光部で受けて、前記指標板を背後から照明する導光部材とを備え、前記指標板と前記導光部材とは一体形成されているとともに、前記指標板には、前記地色部の背面側における少なくとも所要部に前記地色部に対して光反射率の高い反射部が形成されてなることを特徴とする。
【０００７】
また本発明は、前記反射部が、鏡面層からなることを特徴とする。
【０００８】
また本発明は、指針によって指示される指標部が施された立体形状からなる指標板と、前記指標板の背後に配設され、光源からの光を受光部で受けて、前記指標板を背後から照明する導光部材とを備え、前記指標板と前記導光部材とは一体形成されているとともに、前記導光部材には、前記受光部で受けた光が前記指標部の施されている所定範囲内に進むように、光の進行方向を規制する規制手段が設けられていることを特徴とする。
【０００９】
また本発明は、前記規制手段は、前記指針の回動範囲と前記指針の回動範囲外との境界に形成された溝部からなることを特徴とする。
【００１０】
また本発明は、前記指標板と前記導光部材とは、インサート成形により一体形成されてなることを特徴とする。
【発明の効果】
【００１１】
本発明によれば、初期の目的を達成でき、一体形成される指標板と導光部材の形状が特殊な場合であっても、照明効率の低下を抑制することが可能な計器装置を提供できる。
【発明を実施するための最良の形態】
【００１２】
（第１実施形態）図１から図４は、本発明の第１実施形態を示すもので、以下、これらに基づいて本発明の実施形態を例えば車両に搭載される指針式速度計に適用した場合について説明する。なお、図１は本発明の第１実施形態による計器装置の正面図、図２は図１のＡ−Ａ断面図、図３は図２の一部を拡大して示す要部断面図、図４は同実施形態による導光部材の正面図である。
【００１３】
図１，図２において、本実施形態による計器装置は、回路基板１と、この回路基板１に導通装着され回転軸２が前方に延びる駆動装置３と、回転軸２にて回転駆動される指針４と、この指針４によって指示される後述する指標部を有する指標板５と、この指標板５の背後に密着するように配設される後述する導光部を有する導光部材６と、指針４を照明する指針用光源７と、導光部材６内に光を供給し、前記指標部を照明する光源（指標用光源）８と、回路基板１と指標板５との間に配置されるケース体９と、指標板５の後述する立壁部を包囲する見返し部材１０とから構成される。
【００１４】
回路基板１は、例えばガラスエポキシ系基材に配線パターン（図示せず）を施した硬質回路基板からなり、指針用光源７と、光源８と、駆動装置３の駆動・制御を行う駆動手段（図示せず）や抵抗、コンデンサ等の各種回路部品（図示せず）が前記配線パターンに導通接続されている。
【００１５】
駆動装置３は、可動磁石式計器またはステッピングモータからなり、回転軸２が回路基板１を貫通するように、その主要部が回路基板１の背後に装着され、且つ半田付け等の適宜導通手段により前記配線パターンに電気接続される。
【００１６】
指針４は、指標板５の前記指標部を指示する透光性合成樹脂からなる指示部４１と、この指示部４１の回転中心領域Ｒの外周を覆う遮光性合成樹脂からなる指針キャップ４２とを備え、指針４の回転中心領域Ｒには、背後に配置された指針用光源７から発せられる光を受光し、その光を指示部４１の先端側に反射導光する図示しない受光面が形成されている。
【００１７】
なお、本実施形態の場合、指標板５における前記指標部の形成される面（指標板５の後述する傾斜部）は、後述するように略すり鉢状傾斜面に形成されていることから、指示部４１は、前記傾斜部と所定間隔を有するように、指標板５の略中心部から前記傾斜部の外縁に向けて線状に延び、前記指標部を指示しているものとする。
【００１８】
指標板５は、車両の速度を表示するための速度表示部からなり、指針４の回転軌道に沿った円弧状の配列形状を有し、図３に示すように指示部４１の指示対象となる目盛５１ａ，数字５１ｂからなる指標部５１と、この指標部５１の背景をなす背景部（地色部）５２と、背景部５２に対応して形成される光反射率の高い鏡面層からなる反射部５３とを有している。
【００１９】
また、指標部５１、背景部５２並びに反射部５３は、指標部５１が白色系の透光性インクにより、また背景部５２が黒色系の遮光性インクにより、それぞれ指標板５の母材となる薄板状の透光性基板５４の前面に印刷形成され、また鏡面層である反射部５３は、ミラーインクにより指標部５１の形成範囲を除く透光性基板５４の背面側に印刷形成される。
【００２０】
このとき、背景部５２は、後述する指標板５の平板部、傾斜部（指標部５１の非形成領域に対応する傾斜部箇所）、平坦部並びに立壁部に形成され、反射部５３は、前記平板部、前記傾斜部（指標部５１の非形成領域に対応する傾斜部箇所）並びに前記平坦部のみに形成されるものとする。なお、指標部５１、背景部５２並びに反射部５３の各印刷層は、スクリーン印刷等の手段を用いて印刷形成されている。５５は、回転軸２が貫通する略円形の貫通孔であり、この貫通孔５５は、指標板５の略中央部に開口形成されている。
【００２１】
また指標板５は、立体形状に形成されており、略中央部に回転軸２を貫通させるための貫通孔５５が形成された環状の平板部５６と、この平板部５６を取り巻くように前方側（図２中、上側）に傾斜して延び、すり鉢形状の傾斜面を構成する傾斜部５７と、この傾斜部５７から外周に向け平板部５６と略平行に延びる環状の平坦部５８と、この平坦部５８の周縁から下方に垂下する略筒状の立壁部５９とを有し、本実施形態では、指標部５１と背景部５２と反射部５３とを透光性基板５４に印刷形成した後、透光性基板５４を熱変形させる、所謂、絞り加工（絞り成形）により立体形状からなる指標板５が形成されている。
【００２２】
なお、指標板５の主要部を構成する傾斜部５７は、平板部５６に対し所定角度、本実施形態では略４５度前方に傾いており、この領域内の周縁側に指標部５１（目盛５１ａ，数字５１ｂ）が形成されている。また、貫通孔５５は、前記絞り加工後に打ち抜き加工により得られる。
【００２３】
導光部材６は、透光性合成樹脂からなり、指標板５の平板部５６、傾斜部５７並びに平坦部５８の背面に沿うように配設される導光部６１と、ケース体９の後述する第１の円筒部の周囲に位置し、導光部６１の後述する第１の導光部から光源８側に垂下する受光部６２とを備えている。
【００２４】
導光部６１は、指標板５の平板部５６背面に沿い配設される円環板状の第１の導光部６３と、指標板５の傾斜部５７背面に沿い配設され、指標板５の傾斜部５７と同様に略すり鉢状傾斜面を構成する第２の導光部６４と、指標板５の平坦部５８背面に沿い配設され、第２の導光部６４から外周に向け第１の導光部６３と略平行に延びる円環板状の第３の導光部６５とを有している。そして、かかる略すり鉢形状からなる導光部６１の底部に受光部６２が連続形成されている。
【００２５】
なお、第１の導光部６３の略中央部には、指標板５の貫通孔５５に対応する略円形の貫通部６６が開口形成されており、かかる貫通部６６には、ケース体９の前記第１の円筒部や回転軸２が貫通している。また、略すり鉢状傾斜面からなる第２の導光部６４は、円環板状からなる第１の導光部６３を取り巻くように前方側（図２中、上側）に傾斜して延び、第１の導光部６３に対し所定角度、本実施形態では略４５度前方に傾いている。
【００２６】
受光部６２は、本実施形態の場合、第１の導光部６３背面から突出形成された略円柱状垂下部からなる第１の受光部６２ａ，第２の受光部６２ｂ，第３の受光部６２ｃ，第４の受光部６２ｄとを有し、これら４個の各受光部６２ａ，６２ｂ，６２ｃ，６２ｄの各底部が光源８の後述する第１，第２，第３，第４の光源の発光面とそれぞれ対向する位置関係となっている（図４参照）。
【００２７】
また、導光部材６は、本実施形態の場合、指標板５と一体形成されている。具体的には、前記絞り加工後に貫通孔５５を打ち抜き加工した指標板５を図示しない成形金型内にセットし、前記成形金型を閉じた後、図示しない射出成形機を用いて導光部材６となる溶融樹脂を前記成形金型内に射出する。前記溶融樹脂を射出した後、前記溶融樹脂を冷却することにより固化させ、前記成形金型を開いて取り出すことにより、導光部材６と指標板５とが一体形成される。このことから導光部材６は、指標板５を補強する補強部材としての機能を有していることになる。
【００２８】
指針用光源７は、例えば赤色光を発するチップ型発光ダイオードからなり、指針４の回転中心領域Ｒに対応する回路基板１上に複数個配置され、指示部４１を発光させる発光体である。
【００２９】
光源８は、例えば白色光を発するチップ型発光ダイオードからなり、その発光面が導光部材６の各受光部６２ａ，６２ｂ，６２ｃ，６２ｄと対向するように回路基板１上に複数個配置され、各受光部６２ａ，６２ｂ，６２ｃ，６２ｄで光を受けて、指標板５（指標部５１）を背後から照明するための発光体である。なお、本実施形態の場合、光源８は、受光部６２の形成個数と同数の４個用いられ、具体的には指標板５を正面から見たときに指標板５を左右に略２等分する縦ラインＬ１上であって、且つ指針キャップ４２の上下に各々配置される第１，第２の光源８ａ，８ｂと、同様に指標板５を正面から見たときに指標板５を上下に略２等分する横ラインＬ２上であって、且つ指針キャップ４２の左右に各々配置される第３，第４の光源８ｃ，８ｄとを有している（図１参照）。
【００３０】
ケース体９は、例えば白色系の合成樹脂からなり、指標板５の平板部５６を保持するための保持部である第１の円筒部９１と、この第１の円筒部９１を取り巻くように配設され、指標板５の立壁部５９の内壁面に沿うように延びる第２の円筒部９２とを備えている。また、この場合、第１の円筒部９１は、指針用光源７を収納するための収納部としての機能、指針用光源７から発せられる光を指針４側へ反射する反射部としての機能を有している。
【００３１】
なお、９３は、見返し部材１０を載置するための載置面であり、この載置面９３は、第２の円筒部９２における外壁面の略中央部から外方、つまり前記外壁面と略直交する方向に向けて延在しているものとする。一方、第２の円筒部９２における内壁面の略中央部から内方には、指標板５や導光部材６と所定間隔を有するように回路基板１側に傾斜して延び、第２の円筒部９２を補強するための補強部９４が形成されている。かかる補強部９４と回路基板１との当接面は、光源８よりもやや外側に位置しているため、光源８は、第１の円筒部９１と、補強部９４と、補強部９４と第２の円筒部９２の連結部分から上方に位置する第２の円筒部９２箇所とで囲まれる空洞部Ｓ内に収納される構成となる。
【００３２】
見返し部材１０は、例えば黒色の合成樹脂からなり、指標板５の傾斜部５７や立壁部５９を取り巻くようにケース体９の載置面９３上に載置され、立壁部５９に対応する位置に利用者（運転者）の可視領域を定める開口部１０ａを備えている。
【００３３】
かかる実施形態によれば、各光源８ａ，８ｂ，８ｃ，８ｄが点灯すると、各光源８ａ，８ｂ，８ｃ，８ｄから発せられる光は、その真上に位置する導光部材６における各受光部６２ａ，６２ｂ，６２ｃ，６２ｄの前記各底部を通じて各受光部６２ａ，６２ｂ，６２ｃ，６２ｄ内に供給され、そのまま前方に進み、導光部６１における指標板５の平板部５６背面に位置する円環板状からなる第１の導光部６３に到達する。
【００３４】
そして、第１の導光部６３に到達した各受光部６２ａ，６２ｂ，６２ｃ，６２ｄからの光は、円環板状からなる第１の導光部６３内部に導かれ、その後、指標板５の傾斜部５７背面に位置する略すり鉢形状傾斜面からなる第２の反射部６４内部、並びに指標板５の平坦部５８背面に位置する円環板状からなる第３の反射部６５内部に順次、導かれる構成となっている。このとき、第２の反射部６４から第３の反射部６５に導かれる光の一部が、傾斜部５７の周縁近傍に形成された指標部５１を透過することで、指標部５１の目盛５１ａ，数字５１ｂが白色で発光する。このことは、各光源８ａ，８ｂ，８ｃ，８ｄから発せられる光が、指針４の回転中心領域Ｒ側（指標板５の略中央部側）から外側（指標板５の周縁に位置する指標部５１や平坦部５８側）に向けて、導光部材６内部に放射状に導かれ、かかる導光部材６内部（受光部６２及び導光部６１）に放射状に導かれた光により、指標部５１の目盛５１ａ，数字５１ｂが白色で発光することを意味している。
【００３５】
ところで、本実施形態では、特に導光部６１の第１，第２の導光部６３，６４内部を通過する光が、第１，第２の導光部６３，６４と密着する指標板５における透光性基板５４の背面箇所（平板部５６並びに傾斜部５７の背面）に形成される鏡面層からなる反射部５３によって減衰されずにそのまま第３の反射部６５（指標部５１側）に導かれ、従来のように指標板の背景をなすように透光性基板に形成された黒色等の地色部にあたって減衰されないことから、このように略すり鉢形状からなる指標板５の背面に沿うように導光部材が一体形成されることで導光経路が通常より長くなる場合であっても、光源からの光が指標部５１にロスなく導かれるため、照明効率（導光効率）の低下を防止することができる。
【００３６】
また本実施形態では、指標板５と導光部材６とは、インサート成形によって一体的に形成されてなることによって、計器装置の組み付け時に指標板５と導光部材６とを組み付ける工程が不要となるため、生産性を向上させることができる。
【００３７】
また本実施形態では、指針４の回転中心領域Ｒ近傍、つまり略すり鉢形状からなる導光部６１の底部に４つの受光部６２が連続形成されており、かかる各受光部６２と対向するように４つの光源８が回転中心領域Ｒ近傍に対応する回路基板１上に集中配置されていることにより、光源の個数を必要最小限とすることができ、コスト上昇を抑制することが可能となる。
【００３８】
また本実施形態では、鏡面層からなる反射部５３が、背景部５２に対応するように透光性基板５４背面の全ての領域に印刷形成されている場合について説明したが、反射部５３は、必要に応じて透光性基板５４背面の所要部のみに設けることも可能である。
【００３９】
例えば第３の光源８ｃに対応して反射部５３を速度数字「０」から「６０」の範囲内で形成する場合の一例を図５に示す。なお、速度数字側に配設されている他の第１の光源８ａや第４の光源８ｄにおいても、図示は省略するが、以下に説明するような構成を基本構成として、速度数字「６０」から「１２０」並びに速度数字「１２０」から「１８０」に反射部５３がそれぞれ形成されているものとする。
【００４０】
すなわち、第３の光源８ｃに対応するように透光性基板５４背面に反射部５３を形成するにあたっては、速度数字「０」から「６０」に至る各数字５１ｂのうち、第３の光源８２ｃからの距離が比較的近い速度数字「２０」や「４０」からなる数字５１ｃ箇所は、反射部５３の形成領域が、指標板５を正面から見たときに、貫通部６６内壁面から第３の光源８ｃと数字５１ｃとの略中間点に至る領域までとし、第３の光源８ｃからの距離が比較的遠い速度数字「０」や「６０」からなる数字５１ｄ箇所は、反射部５３の形成領域が、指標板５を正面から見たときに、貫通部６６内壁面から各数字５１ｄ近傍に至る領域までとすることを基本構成とする。このことは、第３の光源８ｃからの距離が遠くに設定されている速度数字程、速度数字近傍まで反射部５３を形成するようにしてもよい、ということを意味している。なお、この場合、速度数字の形成されていない第２の光源８ｂ側においては、反射部５３の形成は不要である。
【００４１】
また本実施形態では、指標部５１と背景部５２とが透光性基板５４の前面側に印刷形成され、反射部５３が背景部５２に対応するように透光性基板５４の背面側に印刷形成されている場合について説明したが、反射部５３は、背景部５２の背面側に位置していればよく、例えば指標部５１と背景部５２とを透光性基板５４の背面に形成し、反射部５３を背景部５２に対応するように背景部５２に重ねて透光性基板５４の背面側に形成してもよい。
【００４２】
（第２実施形態）次に、図６から図９を用いて、本発明の第２実施形態を説明するが、前述した第１実施形態と同一もしくは相当個所には、同一符号を付してその詳細な説明は省略する。なお、図６は本第２実施形態における計器装置の正面図、図７は同第２実施形態による計器装置の要部断面図、図８は同第２実施形態による導光部材の正面図、図９は図８のＣ−Ｃ断面図を示している。
【００４３】
この第２実施形態が、前記第１実施形態と比べて異なる点は、指標板５に設けた鏡面層からなる反射部５３、各光源８のうち縦ラインＬ１上における指針キャップ４２の下方に位置していた第２の光源８ｂ、並びに第２の光源８ｂに対向するように導光部材６に設けられていた第２の受光部６２ｂを廃止し、指針４の回動範囲とそれ以外の領域（つまり、指針４の回動範囲外となる領域）との境界となる２つの境界線Ｋに対応するように、導光部材６における略すり鉢状傾斜面からなる第２の導光部６４の背面並びに第２の導光部６４を取り巻く第３の導光部６５の背面に通常部分の肉厚形状よりも肉薄となる一対の溝部２０を設けた点である。
【００４４】
なお、ここで言う指針４の前記回動領域とは、指針４の回動に伴い、指針４（指示部４１）が、指針４の回転軌道に沿い指標板５に円弧状に配列された「０から１８０」までの数字５１ｂや、前記利用者が数字５１ｂよりも詳細情報を確認できるように数字５１ｂの外側に複数、数字５１ｂと同心円上に配列された目盛５１ａを指示可能な領域を示すものである。これに対し、指針４の前記回動範囲外となる領域とは、指針４が回動しない部分、つまり指標板５に指針４が指示可能な目盛５１ａや数字５１ｂの施されていない領域を示すものである。
【００４５】
従って、かかる第２実施形態の場合、指針４の前記回動領域に対応して備えられる第２の光源８ｂ以外の他の光源８ａ，８ｃ，８ｄと、これら他の光源８ａ，８ｃ，８ｄに対向する受光部６２ａ，６２ｃ，６２ｄ及び一対の溝部２０を有する導光部６１とからなる導光部材６を用いて、目盛５１ａや数字５１ｂを背後から照明する構成となる。
【００４６】
そして、本第２実施形態の特徴点である、境界線Ｋに対応して導光部６１における第２，第３の導光部６４，６５背面に形成される一対の溝部２０について図８、図９を用いて説明すると、一対の溝部２０は、断面凹部形状からなり、第３の受光部６２ｃを通じて導光部６１内に供給される第３の光源８ｃからの光が、速度数字「０〜６０」である数字５１ｂや速度数字「０〜６０」に対応する目盛５１ａ箇所に効率よく進むように、また第４の受光部６２ｄを通じて導光部６１内に供給される第４の光源８ｄからの光が、速度数字「１１２０〜１８０」である数字５１ｂや速度数字「１２０〜１８０」に対応する目盛５１ａ箇所に効率よく進むように、光の進行方向を規制する規制手段Ｄとしての機能を有している。特に、この場合、光が到達しにくい速度数字「０」や「１８０」である数字５１ｂやこれら速度数字の外側に位置する目盛５１ａ箇所に効率よく光が進むように設定されている。
【００４７】
言い換えると、かかる溝部２０である規制手段Ｄは、上述したように受光部６２ｃ，６２ｄで受けた光源８ｃ，８ｄからの光が指標部５１の施されている、ある一定の所定範囲内（例えば速度数字「０〜６０」や「１２０〜１８０」となる数字５１ｂやこれら速度数字に対応する目盛５１ａ）を進むように、光の進行方向を規制するものである。この規制手段Ｄの構成をもう少し詳細に説明するなら、各溝部２０における境界線Ｋに沿った指標部５１側に位置する指標側内壁面２１が、導光部６１（第２の導光部６４）内に供給される光を前記ある一定の所定範囲内に反射導光させ、前記ある一定の所定範囲内に到達する光量を補うための反射面としての機能を有していることになる。このことは、前記反射面である指標側内壁面２１が、第２の導光部６４内に供給される光の進む向きを変える規制手段Ｄであることを意味している。
【００４８】
従って、かかる第２実施形態によれば、前述した第１実施形態のように指標板５の所要部に鏡面層からなる反射部５３を形成せずに、指針４の前記回動範囲と指針４の前記回動範囲外との境界において、指針４の前記回動範囲外に向かう第３，第４の光源８ｃ，８ｄからの光が、溝部２０の長手方向一側面を構成する指標側内壁面２１によって、指針４の前記回動範囲側（前記ある一定の所定範囲内）に反射導光されるため、指針４の前記回動範囲外に向かう光のロスが抑制され、速度数字「０〜６０」や「１２０〜１８０」である数字５１ｂ並びにこれら速度数字に対応する目盛５１ａ箇所を含む指標部５１全体を効率よく照明することが可能となり、前記第１実施形態と同様の作用効果を得ることができる。
【００４９】
また本第２実施形態では、規制手段Ｄが、指針４の前記回動範囲と指針４の前記回動範囲外との境界に形成された一対の溝部２０からなることにより、シンプルな構成で、光の進む向きを容易に変えることが可能となる。
【００５０】
また本第２実施形態では、溝部２０の一側面を構成する指標側内壁面２１が、平坦面からなる場合について説明したが、例えば指標側内壁面２１を図１０に示すような屈曲した複数（例えば３つ）の反射面２１ａ，２１ｂ，２１ｃからなる構成としてもよい。
【００５１】
また前記各実施形態では、指標板５の傾斜部５７を取り巻く平坦部５８並びに平坦部５８の背後に重なる導光部材６の第３の導光部６５が、ともに略円環板状からなる例について説明したが、例えば略円環板状からなる平坦部５８に円環状の貫通孔部を設け、第３の導光部６５の表面に前記貫通孔部を貫通して前方側に延びる略筒形状からなるリング部材を一体形成することも可能である。このように前記リング部材を第３の導光部６５、つまり導光部材６に一体形成することで、専用のリング部材を別部材として製作することが不要となるのでコスト上昇を抑制することができる。
【００５２】
また前記各実施形態では、指標部５１の目盛５１ａ，数字５１ｂを傾斜部５７の周縁に設けた例について説明したが、例えば指標部５１の数字５１ｂを傾斜部５７の周縁に設け、指標部５１の目盛５１ａを平坦部５８に設けてもよい。
【００５３】
なお前記各実施形態では、指標部５１の目盛５１ａ，数字５１ｂが、白色系の透光性インクにより印刷形成されていた例について説明したが、例えば指標部５１の目盛５１ａ，数字５１ｂは、背景部５２の印刷にあたり目盛５１ａ，数字５１ｂとなる部分を抜き印刷することで、背景部５２を形成する印刷層が形成されない抜き印刷部として形成してもよい。なお、この場合、前記抜き印刷部を通じて導光部６１（第２，第３の導光部６４，６５）の所定箇所が部分的に臨む構成となり、この導光部６１（第２，第３の導光部６４，６５）の前記所定箇所にて意匠である指標部５１の目盛５１ａ，数字５１ｂが形成されることになる。
【図面の簡単な説明】
【００５４】
【図１】本発明の第１実施形態による計器装置の正面図である。
【図２】図１のＡ−Ａ断面図である。
【図３】図２の一部を拡大して示す要部断面図である。
【図４】同実施形態による導光部材の正面図である。
【図５】同実施形態による他の反射部の形成範囲を示す図である。
【図６】本発明の第２実施形態による計器装置の正面図である。
【図７】同第２実施形態による計器装置の要部断面図である。
【図８】同第２実施形態による導光部材の正面図である。
【図９】図８のＣ−Ｃ断面図である。
【図１０】同第２実施形態による規制手段の変形例を示す図である。
【符号の説明】
【００５５】
４    指針
５    指標板
６    導光部材
８    光源
２０    溝部
２１    指標側内壁面
４１    指示部
５１    指標部
５１ａ  目盛
５１ｂ  数字
５２    地色部（背景部）
５３    反射部（鏡面層）
５６    平板部
５７    傾斜部
５８    平坦部
６１    導光部
６２    受光部
６３    第１の導光部
６４    第２の導光部
６５    第３の導光部
Ｄ    規制手段
Ｋ    境界線
【図１】
2008020216.tif 000003
【図２】
2008020216.tif 000004
【図３】
2008020216.tif 000005
【図４】
2008020216.tif 000006
【図５】
2008020216.tif 000007
【図６】
2008020216.tif 000008
【図７】
2008020216.tif 000009
【図８】
2008020216.tif 000010
【図９】
2008020216.tif 000011
【図１０】
2008020216.tif 000012